(57)【特許請求の範囲】
【請求項１】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯開始時刻の履歴に基いて、沸上運転のスケジュールを設定するように構成されており、
ユーザ端末は、給湯システムの過去の所定期間の給湯開始時刻において、一番早い時刻と一番遅い時刻の時間差が所定時間差以上の場合に、ユーザにアドバイスを提示するように構成されている、給湯システム。
【請求項２】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の湯はり開始時刻の履歴に基いて、沸上運転のスケジュールを設定するように構成されており、
ユーザ端末は、給湯システムの過去の所定期間の湯はり開始時刻において、一番早い時刻と一番遅い時刻の時間差が所定時間差以上の場合に、ユーザにアドバイスを提示するように構成されている、給湯システム。
【請求項３】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯終了時刻の履歴に基いて、沸上運転のスケジュールを設定するように構成されており、
ユーザ端末は、給湯システムの過去の所定期間の給湯終了時刻において、一番早い時刻と一番遅い時刻の時間差が所定時間差以上の場合に、ユーザにアドバイスを提示するように構成されている、給湯システム。
【請求項４】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯使用量の履歴に基いて、沸上運転の沸上量を設定するように構成されており、
ユーザ端末は、給湯システムの過去の所定期間の給湯開始時刻から湯はり開始前までの給湯使用量について、一番多い日の使用量と一番少ない日の使用量の差が所定量以上の場合に、ユーザにアドバイスを提示するように構成されている、給湯システム。
【請求項５】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯使用量の履歴に基いて、沸上運転の沸上量を設定するように構成されており、
ユーザ端末は、給湯システムの過去の所定期間の給湯開始時刻から湯はり開始前までの給湯使用量が、少なくともユーザの家庭の構成人数、居住地域、季節のうちの１つに応じて予め用意されている標準的な給湯パターンに基づく給湯開始時刻から湯はり開始前までの標準給湯使用量に所定係数を乗算した値以上の場合に、ユーザにアドバイスを提示するように構成されている、給湯システム。
【請求項６】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯使用量の履歴に基いて、沸上運転の沸上量を設定するように構成されており、
ユーザ端末は、給湯システムの過去の所定期間の湯はり量が、少なくともユーザの家庭の構成人数、居住地域、季節のうちの１つに応じて予め用意されている標準的な給湯パターンに基づく標準湯はり量に所定係数を乗算した値以上の場合に、ユーザにアドバイスを提示するように構成されている、給湯システム。
【請求項７】
給湯システムであって、
水を貯えるタンクと、
自然環境から吸熱して水を加熱するヒートポンプと、
タンクとヒートポンプの間で水を循環させる循環手段と、
燃料ガスの燃焼によって水を加熱する燃焼装置と、
コントローラと、
コントローラと通信可能なユーザ端末を備えており、
コントローラは、循環手段によってタンクとヒートポンプの間で水を循環させながら、ヒートポンプによって水を加熱する沸上運転を実行可能であり、
コントローラは、給湯システムの過去の給湯使用量の履歴に基いて、沸上運転の沸上量を設定するように構成されており、
ユーザ端末は、給湯システムの過去の所定期間の湯はり終了後から給湯終了時刻までの給湯使用量が、少なくともユーザの家庭の構成人数、居住地域、季節のうちの１つに応じて予め用意されている標準的な給湯パターンに基づく湯はり終了後から給湯終了時刻までの標準給湯使用量に所定係数を乗算した値以上の場合に、ユーザにアドバイスを提示するように構成されている、給湯システム。
【発明の詳細な説明】
【技術分野】
【０００１】
本明細書で開示する技術は、給湯システムに関する。
【背景技術】
【０００２】
特許文献１には、給湯システムが開示されている。その給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラを備えている。その給湯システムにおいて、コントローラは、循環手段によってタンクとヒートポンプの間で水を循環させながら、ヒートポンプによって水を加熱する沸上運転を実行可能である。その給湯システムにおいて、コントローラは、給湯システムの過去の給湯の履歴に基いて、沸上運転のスケジュールを設定するように構成されている。
【先行技術文献】
【特許文献】
【０００３】
【特許文献１】特開２０１３−２２４７６２号公報
【発明の概要】
【発明が解決しようとする課題】
【０００４】
上記の給湯システムのように、過去の給湯の履歴に基いて沸上運転のスケジュールを設定する構成によれば、ユーザの生活様式に応じて、給湯で必要とされる高温の水を、実際に給湯が開始される直前のタイミングでタンクに貯えておくことができる。これによって、タンクが湯切れする事態の発生を抑制し、可能な限りタンクに貯えられた高温の水を利用して給湯を行うことができる。タンクにはヒートポンプによって加熱された水が貯えられるから、タンクに貯えられた高温の水を利用して給湯する場合、燃焼装置を用いて水を加熱して給湯する場合に比べて、高いエネルギー効率で給湯を行うことができる。また、上記の給湯システムによれば、沸上運転の完了から実際の給湯までの時間が短いため、タンクからの放熱ロスを低減することができる。
【０００５】
しかしながら、上記のような給湯システムにおいては、ユーザの給湯の仕方が日によって不規則なものとなると、給湯で必要とされる高温の水を、実際に給湯が開始される直前のタイミングでタンクに貯えておくことが困難となる。その結果、タンクの湯切れを招いて燃焼装置による水の加熱が必要となり、エネルギー効率が低下する場合がある。また、沸上運転の完了から実際の給湯までの時間が長くなり、タンクからの放熱ロスが増加する場合もある。
【０００６】
本明細書では、上記の課題を解決する技術を提供する。本明細書では、過去の給湯の履歴に基いて沸上運転のスケジュールを設定する給湯システムにおいて、省エネルギー化を図ることが可能な技術を提供する。
【課題を解決するための手段】
【０００７】
本明細書が開示する給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯開始時刻の履歴に基いて、沸上運転のスケジュールを設定するように構成されている。ユーザ端末は、給湯システムの過去の所定期間の給湯開始時刻において、一番早い時刻と一番遅い時刻の時間差が所定時間差以上の場合に、ユーザにアドバイスを提示するように構成されている。
【０００８】
上記の給湯システムでは、過去の給湯開始時刻の履歴に基いて沸上運転のスケジュールが設定されるため、ユーザがその日の給湯を開始する時刻に応じて、沸上運転を実行しておくことができる。この際に、上記の給湯システムでは、過去の給湯開始時刻の履歴のばらつきが大きい場合に、ユーザ端末がユーザにアドバイスを提示する。これによって、ユーザに日々の給湯を規則正しく行うように促すことができ、省エネルギー化を図ることができる。
【０００９】
本明細書が開示する別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の湯はり開始時刻の履歴に基いて、沸上運転のスケジュールを設定するように構成されている。ユーザ端末は、給湯システムの過去の所定期間の湯はり開始時刻において、一番早い時刻と一番遅い時刻の時間差が所定時間差以上の場合に、ユーザにアドバイスを提示するように構成されている。
【００１０】
上記の給湯システムでは、過去の湯はり開始時刻の履歴に基いて沸上運転のスケジュールが設定されるため、ユーザの家庭で湯はりを行う時刻に合わせて、沸上運転を実行しておくことができる。この際に、上記の給湯システムでは、過去の湯はり開始時刻の履歴のばらつきが大きい場合に、ユーザ端末がユーザにアドバイスを提示する。これによって、ユーザに日々の給湯を規則正しく行うように促すことができ、省エネルギー化を図ることができる。
【００１１】
本明細書が開示するさらに別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯終了時刻の履歴に基いて、沸上運転のスケジュールを設定するように構成されている。ユーザ端末は、給湯システムの過去の所定期間の給湯終了時刻において、一番早い時刻と一番遅い時刻の時間差が所定時間差以上の場合に、ユーザにアドバイスを提示するように構成されている。
【００１２】
上記の給湯システムでは、過去の給湯終了時刻の履歴に基いて沸上運転のスケジュールが設定されるため、ユーザがその日の給湯を終了する時刻に応じて、沸上運転の実行を禁止し、以降に過剰な沸上をしないようにすることができる。この際に、上記の給湯システムでは、過去の給湯終了時刻の履歴のばらつきが大きい場合に、ユーザ端末がユーザにアドバイスを提示する。これによって、ユーザに日々の給湯を規則正しく行うように促すことができ、省エネルギー化を図ることができる。
【００１３】
本明細書が開示するさらに別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯使用量の履歴に基いて、沸上運転の沸上量を設定するように構成されている。ユーザ端末は、給湯システムの過去の所定期間の給湯開始時刻から湯はり開始前までの給湯使用量について、一番多い日の使用量と一番少ない日の使用量の差が所定量以上の場合に、ユーザにアドバイスを提示するように構成されている。
【００１４】
本明細書が開示するさらに別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯使用量の履歴に基いて、沸上運転の沸上量を設定するように構成されている。ユーザ端末は、給湯システムの過去の所定期間の給湯開始時刻から湯はり開始前までの給湯使用量が、少なくともユーザの家庭の構成人数、居住地域、季節のうちの１つに応じて予め用意されている標準的な給湯パターンに基づく給湯開始時刻から湯はり開始前までの標準給湯使用量に所定係数を乗算した値以上の場合に、ユーザにアドバイスを提示するように構成されている。
【００１５】
本明細書が開示するさらに別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯使用量の履歴に基いて、沸上運転の沸上量を設定するように構成されている。ユーザ端末は、給湯システムの過去の所定期間の湯はり量が、少なくともユーザの家庭の構成人数、居住地域、季節のうちの１つに応じて予め用意されている標準的な給湯パターンに基づく標準湯はり量に所定係数を乗算した値以上の場合に、ユーザにアドバイスを提示するように構成されている。
【００１６】
本明細書が開示するさらに別の給湯システムは、水を貯えるタンクと、自然環境から吸熱して水を加熱するヒートポンプと、タンクとヒートポンプの間で水を循環させる循環手段と、燃料ガスの燃焼によって水を加熱する燃焼装置と、コントローラと、コントローラと通信可能なユーザ端末を備えている。コントローラは、循環手段によってタンクとヒートポンプの間で水を循環させながら、ヒートポンプによって水を加熱する沸上運転を実行可能である。コントローラは、給湯システムの過去の給湯使用量の履歴に基いて、沸上運転の沸上量を設定するように構成されている。ユーザ端末は、給湯システムの過去の所定期間の湯はり終了後から給湯終了時刻までの給湯使用量が、少なくともユーザの家庭の構成人数、居住地域、季節のうちの１つに応じて予め用意されている標準的な給湯パターンに基づく湯はり終了後から給湯終了時刻までの標準給湯使用量に所定係数を乗算した値以上の場合に、ユーザにアドバイスを提示するように構成されている。
【００１７】
上記の給湯システムでは、過去の給湯使用量の履歴に基いて沸上運転の沸上量が設定されるため、ユーザが使用する給湯量に応じて、沸上後の水をタンクに貯えておくことができる。この際に、上記の給湯システムでは、過去の給湯使用量の履歴のばらつきが大きい場合に、ユーザ端末がユーザにアドバイスを提示する。これによって、ユーザに日々の給湯を規則正しく行うように促すことができ、省エネルギー化を図ることができる。
【図面の簡単な説明】
【００１９】
【図１】実施例の給湯システム２の構成を模式的に示す図。
【図２】一般的な家庭において給湯が行われる時間帯を模式的に示す図。
【図３】第１のヒートポンプ作動処理を示すフローチャート。
【図４】第２のヒートポンプ作動処理を示すフローチャート。
【図５】湯はり処理を示すフローチャート。
【図６】ユーザ端末１１０の画面１１２への表示の例を示す図。
【図７】ユーザ端末１１０の画面１１２への表示の別の例を示す図。
【図８】ユーザ端末１１０の画面１１２へ表示されるアドバイス文１２４とその表示条件の例を示す図である。
【図９】ユーザ端末１１０の画面１１２へ表示されるアドバイス文１２４とその表示条件の別の例を示す図である。
【発明を実施するための形態】
【００２０】
（実施例）
図１に示すように、本実施例に係る給湯システム２は、タンク１０と、タンク水循環路２０と、水道水導入路３０と、供給路４０と、ヒートポンプ５０と、燃焼装置６０と、コントローラ１００と、ユーザ端末１１０を備える。
【００２１】
ヒートポンプ５０は、自然環境である外気から吸熱して、タンク水循環路２０内の水を加熱する熱源である。ヒートポンプ５０は、図示しないが、冷媒（代替フロン、例えばＲ４１０Ａ等）を循環させる冷媒循環路と、外気と冷媒との間で熱交換を行う蒸発器と、冷媒を圧縮して高温高圧にする圧縮器と、タンク水循環路２０内の水と高温高圧の冷媒との間で熱交換を行う凝縮器と、熱交換を終えた後の冷媒を減圧させて低温低圧にする膨張弁と、を備えている。また、ヒートポンプ５０には、外気温を測定する外気温センサ５２が備えられている。
【００２２】
タンク１０は、ヒートポンプ５０によって加熱された温水を貯える。タンク１０は、密閉型であり、断熱材によって外側が覆われている。タンク１０内には満水まで水が貯留されている。本実施例では、タンク１０の容量は１００Ｌである。タンク１０には、サーミスタ１２、１４、１６、１８がタンク１０の高さ方向に所定間隔で取り付けられている。各サーミスタ１２、１４、１６、１８は、その取付位置の水の温度を測定する。例えば、各サーミスタ１２、１４、１６、１８は、それぞれ、タンク１０の上部から６Ｌ、１２Ｌ、３０Ｌ、５０Ｌの位置の水の温度を測定する。
【００２３】
タンク水循環路２０は、上流端がタンク１０の下部に接続されており、下流端がタンク１０の上部に接続されている。タンク水循環路２０には、循環ポンプ２２が介装されている。循環ポンプ２２は、タンク水循環路２０内の水を上流側から下流側へ送り出す。また、タンク水循環路２０は、ヒートポンプ５０の熱交換器（図示省略）を通過している。そのため、ヒートポンプ５０を作動させると、タンク水循環路２０内の水がヒートポンプ５０の熱交換器で加熱される。従って、循環ポンプ２２とヒートポンプ５０とを作動させると、タンク１０の下部の水がヒートポンプ５０で加熱され、加熱された水がタンク１０の上部に戻される。即ち、タンク水循環路２０は、タンク１０に蓄熱するための水路である。また、タンク水循環路２０のヒートポンプ５０の上流側には、サーミスタ２４が介装されている。サーミスタ２４は、タンク１０の下部から導出され、ヒートポンプ５０を通過する前の水の温度を測定する。
【００２４】
水道水導入路３０は、上流端が水道水供給源３１に接続されている。水道水導入路３０には、サーミスタ３２が介装されている。サーミスタ３２は、水道水の温度を測定する。水道水導入路３０の下流側は、第１導入路３０ａと第２導入路３０ｂに分岐している。第１導入路３０ａの下流端は、タンク１０の下部に接続されている。第２導入路３０ｂの下流端は、供給路４０の途中に接続されている。第２導入路３０ｂの下流端と供給路４０との接続部分には、混合弁４２が設けられている。混合弁４２は、供給路４０内を流れる温水に、第２導入路３０ｂ内の水を混合させる量を調整する。
【００２５】
供給路４０は、上流端がタンク１０の上部に接続されている。第２導入路３０ｂとの接続部より下流側の供給路４０には、燃焼装置６０が介装されている。また、燃焼装置６０より下流側の供給路４０には、サーミスタ４４が介装されている。サーミスタ４４は、供給される温水の温度を測定する。燃焼装置６０は、燃料ガスの燃焼によって水を加熱する。燃焼装置６０は、サーミスタ４４が測定する温水の温度が、給湯設定温度と一致するように、供給路４０内の水を加熱する。供給路４０の下流端は、給湯箇所（例えば台所やシャワーなどの給湯栓等）に接続されている。また、供給路４０の下流端には、浴槽に湯はりをするための湯はり弁４６と、湯はり後の浴槽内の水を追い焚きする追い焚き装置（図示せず）が設けられている。
【００２６】
コントローラ１００は、各構成要素と電気的に接続されており、各構成要素の動作を制御する。コントローラ１００には、リモコン（図示せず）が接続されている。給湯システム２のユーザは、リモコンを介して、給湯栓へ供給する水の温度である給湯設定温度、浴槽へ供給する水の温度であるふろ設定温度、浴槽への湯はりを完了する時刻である湯はり完了時刻、浴槽へ湯はりした水を保温する時間である保温設定時間などを設定しておくことができる。
【００２７】
ユーザ端末１１０は、コントローラ１００と無線により通信可能である。ユーザ端末１１０は、例えば給湯システム２との連携のための専用のアプリケーションがインストールされたスマートフォンである。ユーザ端末１１０は、給湯システム２に関連する各種の情報を表示することができる。また、ユーザ端末１１０は、給湯システム２に関連する各種の操作入力を受け入れることができる。
【００２８】
次いで、本実施例の給湯システム２の動作について説明する。給湯システム２は、沸上運転、給湯運転および湯はり運転を実行することができる。なお、本明細書では、給湯システム２の給湯運転と湯はり運転の両方を、給湯システム２による給湯という。以下、各運転について説明する。
【００２９】
（沸上運転）
沸上運転は、ヒートポンプ５０によって、タンク１０内の水を加熱する運転である。コントローラ１００によって沸上運転の実行が指示されると、ヒートポンプ５０が作動するとともに、循環ポンプ２２が作動する。循環ポンプ２２が作動すると、タンク水循環路２０内をタンク１０内の水が循環する。即ち、タンク１０の下部に存在する水がタンク水循環路２０内に導入され、導入された水がヒートポンプ５０内の熱交換器を通過する際に、冷媒の熱によって加熱され、加熱された水がタンク１０の上部に戻される。これにより、タンク１０に高温の水が貯められる。タンク１０の上部には、高温の水の層が形成され、下部には、低温の水の層が形成される。
【００３０】
（給湯運転）
給湯運転は、タンク１０内の水を給湯箇所に供給する運転である。給湯運転は、上記の沸上運転中にも実行することができる。給湯箇所において給湯栓が開かれると、水道水供給源３１からの水圧によって、水道水導入路３０（第１導入路３０ａ）からタンク１０の下部に水道水が流入する。同時に、タンク１０上部の温水が、供給路４０を介して給湯箇所に供給される。
【００３１】
コントローラ１００は、タンク１０から供給路４０に供給される水の温度（即ち、サーミスタ１２の測定温度）が、給湯設定温度より高い場合には、混合弁４２を開いて第２導入路３０ｂから供給路４０に水道水を導入する。従って、タンク１０から供給された水と第２導入路３０ｂから供給された水道水とが、供給路４０内で混合される。コントローラ１００は、給湯箇所に供給される水の温度が、給湯設定温度と一致するように、混合弁４２の開度を調整する。一方、コントローラ１００は、タンク１０から供給路４０に供給される水の温度が、給湯設定温度より低い場合には、燃焼装置６０を作動させる。従って、供給路４０を通過する水が燃焼装置６０によって加熱される。コントローラ１００は、給湯箇所に供給される水の温度が、給湯設定温度と一致するように、燃焼装置６０の出力を制御する。
【００３２】
（湯はり運転）
湯はり運転は、タンク１０内の水を浴槽に供給する運転である。湯はり運転は、上記の沸上運転中にも実行することができる。リモコンで設定された湯はり完了時刻に基づく湯はり開始時刻になると、コントローラ１００は、湯はり弁４６を開く。これによって、給湯運転と同様にして、ふろ設定温度に調温された水が浴槽へ供給される。
【００３３】
（沸上運転の学習制御）
図２は、ある１日の間に、給湯が行われる時間帯を模式的に示す図である。なお、本実施例では、２：００を始点とする２４時間を、１日を特定するための単位時間としている。
【００３４】
一般的には、例えば、６：００〜７：００に最初に給湯が行われる（図２の例では６：００）。最初の給湯は、例えば、朝食の用意や洗面のための給湯である。最初の給湯では、５Ｌ〜２０Ｌ程度の温水が供給される。その後、例えば、１１：００〜１２：００に二度目の給湯が行われる（図２の例では１１：００）。二度目の給湯は、例えば、昼食の用意のための給湯である。二度目の給湯でも、５Ｌ〜２０Ｌ程度の温水が供給される。その後、例えば、２０：００に三度目の給湯が行われる（図２の例では２０：００）。三度目の給湯は、浴槽への湯はり運転である。湯はり運転では、１５０Ｌ〜１８０Ｌ程度の温水が供給される。その後、例えば、２３：００〜０：００に最後の給湯が行われる（図２の例ではおよそ２３：００）。最後の給湯は、例えば、歯磨き等のための給湯である。最後の給湯では、５Ｌ〜１０Ｌ程度の温水が供給される。最後の給湯は、０：００頃に終了する。
【００３５】
本実施例では、コントローラ１００は、給湯が行われる度に、給湯が開始された時刻と、給湯が終了した時刻と、給湯で使用された温水の量を示す給湯使用量を、給湯使用実績として記憶する。また、コントローラ１００は、ヒートポンプ５０による水の加熱を行う度に、加熱が開始された時刻と、加熱が終了した時刻と、ヒートポンプ５０での電力使用量を、電力使用実績として記憶する。さらに、コントローラ１００は、燃焼装置６０による水の加熱を行う度に、加熱が開始された時刻と、加熱が終了した時刻と、燃焼装置６０でのガス使用量を、ガス使用実績として記憶する。そして、コントローラ１００は、１日分の給湯使用実績と、電力使用実績と、ガス使用実績を、１日分の給湯履歴として記憶する。本実施例では、コントローラ１００は、過去の所定期間（例えば１ヶ月間）の各日の給湯履歴を記憶している。
【００３６】
続いて、コントローラ１００が、２４時間毎（時刻が２：００になる毎）に実行する処理について説明する。コントローラ１００は、２４時間毎に、前日の給湯履歴を新たに記憶する。
【００３７】
次いで、コントローラ１００は、過去７日分の給湯履歴から、過去７日間において、最初の給湯が開始された時刻（給湯開始時刻）のうち、最も早い時刻を特定する。以下では、この時刻を「給湯開始時刻Ｓ１」と呼ぶ。例えば、コントローラ１００は、６：００を給湯開始時刻Ｓ１として特定する（図２参照）。
【００３８】
さらに、コントローラ１００は、過去７日分の給湯履歴から、過去７日間において、給湯開始時刻から湯はり開始前までの給湯使用量のうち、最も多い給湯使用量を特定する。以下では、この給湯使用量を「第１給湯量Ｑ１」と呼ぶ。例えば、コントローラ１００は、３０Ｌを第１給湯量Ｑ１として特定する。
【００３９】
また、コントローラ１００は、過去７日分の運転履歴から、過去７日間において、湯はり運転が開始された時刻（湯はり開始時刻）のうち、最も早い時刻を特定する。以下では、この時刻を「湯はり開始時刻Ｂ１」と呼ぶ。上記の通り、本実施例では、毎日２０：００に湯はり運転を開始するように予め設定されている。例えば、コントローラ１００は、２０：００を湯はり開始時刻Ｂ１として特定する（図２参照）。
【００４０】
さらに、コントローラ１００は、過去７日分の運転履歴から、過去７日間において、最後の給湯が終了した時刻（給湯終了時刻）のうち、最も遅い時刻を特定する。以下では、この時刻を「給湯終了時刻Ｇ１」と呼ぶ。例えば、コントローラ１００は、０：００を給湯終了時刻Ｇ１として特定する（図２参照）。
【００４１】
さらに、コントローラ１００は、サーミスタ３２が測定する温度ＴＷ（即ち、水道水の水温）と第１給湯量Ｑ１に基づいて、第１の所定時間αを特定する。また、コントローラ１００は、サーミスタ３２が測定する温度ＴＷ（即ち、水道水の水温）に基づいて、第２の所定時間β、及び、第３の所定時間γを特定する。
【００４２】
図２に示すように、温度ＴＷが２１℃以上の場合、コントローラ１００は、第１の所定時間αとして「２０分」を特定する。温度ＴＷが１３℃以上２１℃未満の場合、コントローラ１００は、第１の所定時間αとして「３０分」を特定する。温度ＴＷが１３℃未満の場合、コントローラ１００は、第１の所定時間αとして「４５分」を特定する。コントローラ１００は、温度ＴＷが高いほど、第１の所定時間αとして、短い時間を特定する。
【００４３】
また、図２に示すように、第１給湯量Ｑ１が１２Ｌ未満の場合、コントローラ１００は、第１の所定時間αの加算時間として「５分」を特定する。第１給湯量Ｑ１が１２Ｌ以上３０Ｌ未満の場合、コントローラ１００は、第１の所定時間αの加算時間として「１０分」を特定する。第１給湯量Ｑ１が３０Ｌ以上の場合、コントローラ１００は、第１の所定時間αの加算時間として「１５分」を特定する。コントローラ１００は、第１給湯量Ｑ１が少ないほど、第１の所定時間αの加算時間として、短い時間を特定する。
【００４４】
同様に、図２に示すように、温度ＴＷが２１℃以上の場合、コントローラ１００は、第２の所定時間βとして「４０分」を特定する。温度ＴＷが１３℃以上２１℃未満の場合、コントローラ１００は、第２の所定時間βとして「５０分」を特定する。温度ＴＷが１３℃未満の場合、コントローラ１００は、第２の所定時間βとして「６０分」を特定する。コントローラ１００は、温度ＴＷが高いほど、第２の所定時間βとして、短い時間を特定する。
【００４５】
さらに同様に、図２に示すように、温度ＴＷが２１℃以上の場合、コントローラ１００は、第３の所定時間γとして「８０分」を特定する。温度ＴＷが１３℃以上２１℃未満の場合、コントローラ１００は、第３の所定時間γとして「５０分」を特定する。温度ＴＷが１３℃未満の場合、コントローラ１００は、第３の所定時間γとして「４０分」を特定する。コントローラ１００は、温度ＴＷが高いほど、第３の所定時間γとして、長い時間を特定する。
【００４６】
次いで、コントローラ１００は、給湯開始時刻Ｓ１から、特定された第１の所定時間αだけ前の時刻である第１のヒートポンプ作動時刻Ｓ０を特定する。本実施例では、コントローラ１００は、第１のヒートポンプ作動時刻Ｓ０が到来すると、後述の第１のヒートポンプ作動処理（図３参照）を開始する。
【００４７】
また、コントローラ１００は、湯はり開始時刻Ｂ１から、特定された第２の所定時間βだけ前の時刻である第２のヒートポンプ作動時刻Ｂ０を特定する。本実施例では、コントローラ１００は、第２のヒートポンプ作動時刻Ｂ０が到来すると、後述の第２のヒートポンプ作動処理（図４参照）を開始する。
【００４８】
さらに、コントローラ１００は、給湯終了時刻Ｇ１から、特定された第３の所定時間γだけ前の時刻であるヒートポンプ停止時刻Ｇ０を特定する。本実施例では、コントローラ１００は、ヒートポンプ停止時刻Ｇ０が到来すると、後述のヒートポンプ停止処理を開始する。
【００４９】
（第１のヒートポンプ作動処理）
図３は、コントローラ１００が実行する第１のヒートポンプ作動処理の内容を示すフローチャートである。上記の通り、第１のヒートポンプ作動時刻Ｓ０が到来すると、コントローラ１００は、図３の処理を開始する。まず、Ｓ１０では、コントローラ１００は、タンク１０に取り付けられているサーミスタ１２，１４，１６，１８のうち、第１給湯量Ｑ１に対応するサーミスタを選択する。本実施例では、第１給湯量Ｑ１が３０Ｌなので、コントローラ１００は、３０Ｌに対応するサーミスタ１６を選択する。
【００５０】
続くＳ１２では、コントローラ１００は、上記のＳ１０で選択したサーミスタ１６が測定する温度（即ち、タンク１０の上部から３０Ｌの位置の水温）が、所定の閾値ＴＡより高いか否か判断する。
【００５１】
本実施例では、所定の閾値ＴＡは、「沸上設定温度−１０℃」である。沸上設定温度は、例えば４７℃である。そのため、所定の閾値ＴＡは、例えば３７℃である。Ｓ１２でＹＥＳと判断される場合、少なくとも、タンク１０の上部から３０Ｌの位置の水温は閾値ＴＡ（例えば３７℃）より高い。上記の通り、タンク１０の上部には、高温の水の層が形成され、下部には、低温の水の層が形成される。そのため、Ｓ１２でＹＥＳと判断される場合には、タンク１０の３０Ｌの位置からタンク上部までの間には、沸上設定温度（例えば４７℃）に近い高温の温水が貯められている。即ち、Ｓ１２でＹＥＳと判断される場合には、給湯開始時刻Ｓ１の近傍の時刻に行われる予定の最初の給湯に必要な量（５Ｌ〜２０Ｌ程度）の温水がタンク１０内に貯められていることを意味する。Ｓ１２でＹＥＳと判断される場合、Ｓ１８に進む。一方、Ｓ１２でＮＯと判断される場合、Ｓ１４に進む。
【００５２】
Ｓ１４では、コントローラ１００は、ヒートポンプ５０が作動中であるか否か判断する。ヒートポンプ５０が作動している場合、コントローラ１００はＳ１４でＹＥＳと判断し、Ｓ１２に戻る。この場合、コントローラ１００は、ヒートポンプ５０によってタンク１０内の水を加熱する沸上運転を継続する。一方、ヒートポンプ５０が作動していない場合、コントローラ１００はＳ１４でＮＯと判断し、Ｓ１６に進む。
【００５３】
Ｓ１６では、コントローラ１００は、ヒートポンプ５０を作動させる。また、コントローラ１００は、循環ポンプ２２を回転させる。即ち、コントローラ１００は、上記の沸上運転を開始する。これにより、タンク１０の下部に存在する水がタンク水循環路２０内に導入され、導入された水がヒートポンプ５０によって加熱され、加熱された水がタンク１０の上部に戻される。これにより、タンク１０に高温の水が貯められる。Ｓ１６でヒートポンプ５０を作動させた後は、Ｓ１２に戻り、コントローラ１００は、サーミスタ１６が測定する温度が、所定の閾値ＴＡより高くなること（即ちタンク１０に第１給湯量Ｑ１の水が所定の閾値ＴＡより高い水温で貯められている状態になること）を監視する。サーミスタ１６が測定する温度が所定の閾値ＴＡより高くなる場合（Ｓ１２でＹＥＳ）、Ｓ１８に進む。
【００５４】
Ｓ１８では、コントローラ１００は、ヒートポンプ５０及び循環ポンプ２２を停止させる。上記の通り、Ｓ１２でＹＥＳと判断される場合には、タンク１０内には、既に最初の給湯に必要な量（第１給湯量Ｑ１（３０Ｌ））の温水が貯められているためである。
【００５５】
図３の第１のヒートポンプ作動処理を開始した後、給湯開始時刻Ｓ１の近傍の時刻に、最初の給湯運転が実行されると、タンク１０上部の温水が、供給路４０を介して給湯箇所に供給される。上記の通り、本実施例の給湯システム２では、給湯開始時刻Ｓ１において、タンク１０内に、給湯に必要な量の温水を貯えておくことができる。即ち、第１の所定時間αは、その時間の間だけヒートポンプ５０を作動させることによって、給湯開始時刻Ｓ１の時点で、タンク１０内に、給湯に必要な量の温水を貯めることが可能となる時間である。
【００５６】
（第２のヒートポンプ作動処理）
図４は、コントローラ１００が実行する第２のヒートポンプ作動処理の内容を示すフローチャートである。上記の通り、第２のヒートポンプ作動時刻Ｂ０が到来すると、コントローラ１００は、図４の処理を開始する。まず、Ｓ３０では、コントローラ１００は、サーミスタ２４が測定する温度（即ち、タンク１０の下部から導出され、ヒートポンプ５０を通過する前の水の温度）が、所定の閾値ＴＢより高いか否か（即ちタンク１０が満蓄状態か否か）判断する。Ｓ３０でＹＥＳと判断される場合、Ｓ３８に進む。一方、Ｓ３０でＮＯと判断される場合、Ｓ３２に進む。
【００５７】
Ｓ３２では、コントローラ１００は、ヒートポンプ５０を作動させる。また、コントローラ１００は、循環ポンプ２２を回転させる。即ち、コントローラ１００は、上記の沸上運転を開始する。なお、Ｓ３２の時点で既にヒートポンプ５０及び循環ポンプ２２が作動している場合、コントローラ１００は、ヒートポンプ５０及び循環ポンプ２２を継続して作動させる。Ｓ３２を終えると、Ｓ３４に進む。
【００５８】
一方、Ｓ３８では、ヒートポンプ５０及び循環ポンプ２２を停止させる。上記の通り、Ｓ３０でＹＥＳと判断される場合には、タンク１０は満蓄状態である。そのため、それ以上、ヒートポンプ５０及び循環ポンプ２２を作動させる必要がない。Ｓ３８を終えると、Ｓ３４に進む。
【００５９】
Ｓ３４では、コントローラ１００は、湯はり開始時刻Ｂ１が到来したか否か判断する。Ｓ３４でＹＥＳと判断される場合、Ｓ３６に進み、湯はり処理（図５参照）を開始する。一方、Ｓ３４でＮＯの場合、Ｓ３０に戻る。
【００６０】
本実施例では、図４の第２のヒートポンプ作動処理が開始された時点で、タンク１０内に沸上設定温度の温水が十分に貯められていない場合には、上記のＳ３２でヒートポンプ５０を作動させた後、タンク１０が満蓄状態になる前に、湯はり開始時刻Ｂ１が到来する（Ｓ３４でＹＥＳ）。即ち、本実施例では、コントローラ１００は、第２のヒートポンプ作動時刻Ｂ０にヒートポンプ５０を作動させる（Ｓ３２）と、湯はり開始時刻Ｂ１において、サーミスタ２４が測定する温度が、所定の閾値ＴＢ未満になるように、第２の所定時間βを特定している。
【００６１】
（湯はり処理）
上記の通り、湯はり開始時刻Ｂ１が到来すると、Ｓ３６において、コントローラ１００は、湯はり処理を開始する。図５は、湯はり処理の内容を示すフローチャートである。なお、本実施例では、湯はり開始時刻Ｂ１が到来すると、自動的に湯はり処理が開始される例を説明するが、変形例では、ユーザによって所定の湯はり開始操作が行われる場合に、湯はり処理を開始してもよい。
【００６２】
図５のＳ５０では、コントローラ１００は、湯はり運転を開始する。即ち、コントローラ１００は、浴槽の湯はり弁４６を開き、浴槽への温水の供給を開始する。次いで、Ｓ５２では、コントローラ１００は、ヒートポンプ５０が作動中であるか否か判断する。上記の通り、湯はり開始時刻Ｂ１が到来した時点で、タンク１０が満蓄状態でなかった場合には、ヒートポンプ５０は継続して作動している。その場合、コントローラ１００はＳ５２でＹＥＳと判断し、Ｓ５８に進む。一方、湯はり開始時刻Ｂ１が到来した時点で、タンク１０が満蓄状態であった場合には、ヒートポンプ５０は停止している。その場合、コントローラ１００はＳ５２でＮＯと判断し、Ｓ５４に進む。
【００６３】
Ｓ５４では、コントローラ１００は、サーミスタ１６が測定する温度が、所定の閾値ＴＡ以下になることを監視する。Ｓ５４でＹＥＳの場合、Ｓ５６に進む。Ｓ５４でＹＥＳの場合、湯はり運転の結果、タンク１０内に貯められていた温水（閾値ＴＡより高い温度の温水）の量が残り３０Ｌ以下まで減少したことを意味する。Ｓ５６では、コントローラ１００は、ヒートポンプ５０を作動させるとともに、循環ポンプ２２を回転させる。
【００６４】
続くＳ５８では、コントローラ１００は、サーミスタ１２が測定する温度（即ち、タンク１０の上部から６Ｌの位置の水温）が、ふろ設定温度以下になることを監視する。Ｓ５８でＹＥＳと判断される場合には、タンク１０内に貯められていた温水（ふろ設定温度より高い温度の温水）の量が残り６Ｌ以下まで減少したことを意味する。以下では、この状態のことを「湯切れ状態」と呼ぶ場合がある。本実施例では、湯はり運転において、１５０Ｌ〜１８０Ｌの温水が必要とされる。上記の通り、本実施例では、タンク１０の容量は１００Ｌであるため、湯はり運転の途中で必ず湯切れ状態（Ｓ５８でＹＥＳ）が発生する。Ｓ５８でＹＥＳと判断される場合（即ち、湯切れ状態の場合）、Ｓ６０に進む。
【００６５】
Ｓ６０では、コントローラ１００は、燃焼装置６０を作動させる。なお、この場合も、コントローラ１００は、ヒートポンプ５０及び循環ポンプ２２を継続して作動させる。この結果、浴槽には、ヒートポンプ５０及び燃焼装置６０で加熱された温水が供給される。
【００６６】
次いで、Ｓ６２では、コントローラ１００は、湯はり運転が完了することを監視する。所定量（例えば１５０Ｌ）の温水を浴槽に供給し終えると、コントローラ１００は、Ｓ６２でＹＥＳと判断し、Ｓ６４に進む。
【００６７】
Ｓ６４では、コントローラ１００は、Ｓ６０で作動させた燃焼装置６０を停止させる。なお、この場合も、コントローラ１００は、ヒートポンプ５０及び循環ポンプ２２を所定時間継続して作動させる。Ｓ６４を終えると、図５の湯はり処理が終了する。同時に、図４の処理も終了する。上記の通り、本実施例の給湯システム２では、湯はり開始時刻Ｂ１において、タンク１０内に、湯はりのために必要な量の一部の温水を貯えておくことができる。即ち、第２の所定時間βは、その時間の間だけヒートポンプ５０を作動させることによって、湯はり開始時刻Ｂ１の時点で、タンク１０内に、必要な量の温水を貯めることが可能となる時間である。
【００６８】
また、上記の通り、コントローラ１００は、第２のヒートポンプ作動時刻Ｂ０にヒートポンプ５０を作動させる（Ｓ３２）と、湯はり開始時刻Ｂ１において、サーミスタ２４が測定する温度が、所定の閾値ＴＢ未満になるように、第２の所定時間βを特定している。そのため、湯はり開始時刻Ｂ１が到来した時点で、タンク１０が満蓄状態でない場合には、浴槽に温水の供給を開始した後も（図５のＳ５０）、ヒートポンプ５０を継続して作動させる（図５のＳ５２でＹＥＳ）。この場合、ヒートポンプ５０で水を加熱してタンク１０に貯めながら、浴槽に温水を供給することができる。一方、湯はり開始時刻Ｂ１において、ヒートポンプ５０が停止している場合（図５のＳ５２でＮＯ）、後でヒートポンプ５０を再度作動させる必要があり、時間がかかる（図５のＳ５６）。また、湯はり開始時刻Ｂ１において、ヒートポンプ５０が継続して作動している場合には（図５のＳ５２でＹＥＳ）、湯はり開始時刻Ｂ１において、ヒートポンプ５０が停止している場合（図５のＳ５２でＮＯ）と比べて、ヒートポンプ５０の停止及び再作動が頻繁に行われることを抑制することができる。即ち、ヒートポンプ５０の停止及び再作動によるロスを減らしてエネルギー効率を高くすることができ、さらに、ヒートポンプ５０の耐久性の低下を抑制することができる。
【００６９】
（ヒートポンプ停止処理）
ヒートポンプ停止時刻Ｇ０が到来すると、コントローラ１００は、ヒートポンプ停止処理（図示省略）を開始する。即ち、コントローラ１００は、ヒートポンプ停止時刻Ｇ０の時点で、ヒートポンプ５０が作動中である場合、ヒートポンプ５０を停止させる。なお、ヒートポンプ５０が作動していない場合、コントローラ１００は、そのままヒートポンプ５０を停止させておく。コントローラ１００は、ヒートポンプ停止時刻Ｇ０でヒートポンプ５０を停止させると、次の日までヒートポンプ５０を作動させない。その後、給湯終了時刻Ｇ１の近傍の時刻に、最後の給湯運転が終了する。従って、本実施例の給湯システム２では、給湯終了時刻Ｇ１において、タンク１０内に、過剰な温水を貯えないようにすることができる。即ち、第３の所定時間γは、その時間の間にヒートポンプ５０を作動させないことにより、給湯終了時刻Ｇ１の時点で、タンク１０内に、過剰な温水を貯えないようにすることが可能となる時間である。
【００７０】
なお、上記において、コントローラ１００は、過去７日分の給湯履歴から、過去７日間における給湯開始時刻の平均時刻を、給湯開始時刻Ｓ１として特定してもよい。同様に、コントローラ１００は、過去７日分の給湯履歴から、過去７日間における湯はり開始時刻の平均時刻を、湯はり開始時刻Ｂ１として特定してもよい。さらに、コントローラ１００は、過去７日分の給湯履歴から、過去７日間における給湯終了時刻の平均時刻を、給湯終了時刻Ｇ１として特定してもよい。
【００７１】
上記において、コントローラ１００は、温度ＴＷが高くなるほど、また第１給湯量が少ないほど短い時間を特定するのであれば、上記の手法に限らず、任意の方法によって第１の所定時間αを特定してもよい。従って、例えば、コントローラ１００は、温度ＴＷを用いて所定の計算を行い、第１の所定時間αを算出してもよい。同様に、コントローラ１００は、温度ＴＷが高くなるほど短い時間を特定するのであれば、任意の方法によって第２の所定時間βを特定してもよい。また、コントローラ１００は、温度ＴＷが高くなるほど長い時間を特定するのであれば、任意の方法によって第３の所定時間γを特定してもよい。
【００７２】
上記において、コントローラ１００は、サーミスタ３２が測定する水温ＴＷに代えて、外気温センサ５２が測定する外気温に基づいて、第１の所定時間α、第２の所定時間β、第３の所定時間γを特定してもよい。また、コントローラ１００は、サーミスタ３２が測定する水温と外気温センサ５２が測定する外気温とに基づいて、第１の所定時間α、第２の所定時間β、第３の所定時間γを特定してもよい。
【００７３】
（実際のデータと標準的なデータの比較表示）
図６に示すように、本実施例の給湯システム２では、ユーザ端末１１０において、標準的な時間帯別の給湯パターンと、実際の時間帯別の給湯パターンを、対比可能に表示可能である。図６に示す例では、ユーザ端末１１０の画面１１２に、標準的な時間帯別の電気使用量、ガス使用量および給湯使用量のグラフ１１６（図６では「標準」というラベルとともに表示）と、実際の時間帯別の電気使用量、ガス使用量および給湯使用量のグラフ１１４（図６では「あなた」というラベルとともに表示）を、上下に並べて表示している。本実施例の給湯システム２では、ユーザ端末１１０は、コントローラ１００から、過去の所定期間（例えば１ヶ月間）における各日の給湯履歴を取得し、それぞれの時間帯における、電気使用量、ガス使用量および給湯使用量の平均値を算出することで、実際の時間帯別の給湯パターンを取得する。また、ユーザ端末１１０は、標準的な時間帯別の給湯パターンを、例えばインターネット等を介してデータベース（図示せず）からダウンロードすることで取得する。給湯システム２のユーザは、ユーザ端末１１０を介して、標準的な時間帯別の給湯パターンのグラフ１１６と、実際の時間帯別の給湯パターンのグラフ１１４を見比べることによって、自身の給湯パターンの特徴を把握し、省エネルギーを図るために自身の給湯パターンをどのように改善すればよいかを理解することができる。なお、過去の所定期間における各日の給湯履歴から、それぞれの時間帯における、電気使用量、ガス使用量および給湯使用量の平均値を算出する処理と、実際の時間帯別の給湯パターンを記憶する処理と、標準的な時間帯別の給湯パターンを記憶する処理は、ユーザ端末１１０ではなく、コントローラ１００で行ってもよい。
【００７４】
なお、標準的な時間帯別の給湯パターンは、複数の給湯パターンの中から、給湯システム２のユーザに適合するものを選択可能としてもよい。例えば、標準的な時間帯別の給湯パターンとして、ユーザの家庭の構成人数、居住地域、季節などに応じた給湯パターンを複数用意しておいて、ユーザがユーザ端末１１０において複数の給湯パターンの中から自身に適合するものを選択できるように、ユーザ端末１１０を構成してもよい。
【００７５】
（アドバイス表示）
図７に示すように、本実施例の給湯システム２では、ユーザ端末１１０において、給湯システム２のユーザに対するアドバイスを表示可能である。図７に示す例では、ユーザ端末１１０の画面１１２の上部に、標準的な給湯パターンで、ヒートポンプ５０を使用することなく燃焼装置６０のみを使用して給湯した場合の光熱費１１８（図７では「ガスのみ」というラベルとともに表示）と、標準的な給湯パターンで、ヒートポンプ５０と燃焼装置６０を組み合わせて使用して給湯した場合の光熱費１２０（図７では「標準」というラベルとともに表示）と、実際の給湯パターンでの光熱費１２２（図７では「あなた」というラベルとともに表示）が並べて表示されているとともに、画面１１２の下部に、アドバイス文１２４が表示されている。
【００７６】
図８および図９に示すように、ユーザ端末１１０には、複数のアドバイス文１２４と、そのアドバイス文１２４の表示条件が、関連付けて記憶されている。ユーザ端末１１０は、それぞれのアドバイス文１２４について、関連付けられた表示条件が満たされるか否かを判定し、全ての表示条件が満たされるアドバイス文１２４を画面１１２に表示する。なお、図８、図９における「標準光熱費」、「標準給湯使用量」、「標準湯はり量」、「標準給湯使用回数」は、それぞれ、標準的な給湯パターンに基づく光熱費、給湯使用量、湯はり量および給湯使用回数をいう。
【００７７】
図８のＮｏ．１に示すように、本実施例の給湯システム２では、給湯設定温度が所定温度（例えば４３℃）以上の場合に、ユーザ端末１１０は、給湯設定温度を下げることで光熱費の節約が可能である旨のアドバイス文１２４を表示する。
【００７８】
図８のＮｏ．２に示すように、本実施例の給湯システム２では、ふろ設定温度が所定温度（例えば４３℃）以上の場合に、ユーザ端末１１０は、ふろ設定温度を下げることで光熱費の節約が可能である旨のアドバイス文１２４を表示する。
【００７９】
図８のＮｏ．３に示すように、本実施例の給湯システム２では、保温設定時間が所定時間（例えば４時間）以上の場合に、ユーザ端末１１０は、保温設定時間を短くすることで光熱費の節約が可能である旨のアドバイス文１２４を表示する。
【００８０】
図８のＮｏ．４に示すように、本実施例の給湯システム２では、以下の３つの条件が満たされた場合に、給湯開始時刻と給湯終了時刻のばらつきを減らすことで光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の給湯開始時刻において、一番早い時刻と一番遅い時刻の時間差が所定時間差（例えば２時間）以上である。
（３）過去の所定期間（例えば７日間）の給湯終了時刻において、一番早い時刻と一番遅い時刻の時間差が所定時間差（例えば２時間）以上である。
【００８１】
図８のＮｏ．５に示すように、本実施例の給湯システム２では、以下の３つの条件が満たされた場合に、給湯開始時刻の早い時刻へのばらつきを減らすことで光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の給湯開始時刻において、一番早い時刻と一番遅い時刻の時間差が所定時間差（例えば２時間）以上である。
（３）過去の所定期間（例えば７日間）の給湯開始時刻において、一番早い時刻が所定時刻（例えば５：００）以前である。
【００８２】
図８のＮｏ．６に示すように、本実施例の給湯システム２では、以下の３つの条件が満たされた場合に、給湯終了時刻の遅い時刻へのばらつきを減らすことで光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の給湯終了時刻において、一番早い時刻と一番遅い時刻の時間差が所定時間差（例えば２時間）以上である。
（３）過去の所定期間（例えば７日間）の給湯終了時刻において、一番遅い時刻が所定時刻（例えば２４：００）以降である。
【００８３】
図８のＮｏ．７に示すように、本実施例の給湯システム２では、以下の２つの条件が満たされた場合に、給湯開始時刻から湯はり開始時刻までの給湯使用量のばらつきを減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の給湯開始時刻から湯はり開始前までの給湯使用量について、一番多い日の使用量と一番少ない日の使用量の差が所定量（例えば３０Ｌ）以上である。
【００８４】
図８のＮｏ．８に示すように、本実施例の給湯システム２では、以下の２つの条件が満たされた場合に、給湯開始時刻から湯はり開始時刻までの給湯量を減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の給湯開始時刻から湯はり開始前までの給湯使用量が、標準給湯使用量に所定係数（例えば１．１０）を乗算した値以上である。
【００８５】
図８のＮｏ．９に示すように、本実施例の給湯システム２では、以下の２つの条件が満たされた場合に、湯はり量を減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の湯はり量が、標準湯はり量に所定係数（例えば１．１０）を乗算した値以上である。
【００８６】
図８のＮｏ．１０に示すように、本実施例の給湯システム２では、以下の２つの条件が満たされた場合に、湯はり終了後から給湯終了時刻までの給湯使用量を減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の湯はり終了後から給湯終了時刻までの給湯使用量が、標準給湯使用量に所定係数（例えば１．１０）を乗算した値以上である。
【００８７】
図９のＮｏ．１１に示すように、本実施例の給湯システム２では、過去の所定期間（例えば７日間）の湯はり開始時刻において、一番早い時刻と一番遅い時刻の時間差が所定時間差（例えば３時間）以上の場合に、入浴時間のばらつきを減らすことで、光熱費の節約が可能である旨のアドバイス文１２４を表示する。
【００８８】
図９のＮｏ．１２に示すように、本実施例の給湯システム２では、以下の２つの条件が満たされた場合に、午前の給湯使用回数を減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の午前の給湯使用回数が、午前の標準給湯使用回数に所定係数（例えば１．１５）を乗算した値以上である。
【００８９】
図９のＮｏ．１３に示すように、本実施例の給湯システム２では、以下の２つの条件が満たされた場合に、午後の給湯使用回数を減らすことで、光熱費の節約が可能である旨のアドバイス文１２４を表示する。
（１）当月の光熱費が、標準光熱費に所定係数（例えば１．０５）を乗算した値以上である。
（２）過去の所定期間（例えば７日間）の午後の給湯使用回数が、午後の標準給湯使用回数に所定係数（例えば１．１５）を乗算した値以上である。
【００９０】
図９のＮｏ．１４に示すように、本実施例の給湯システム２では、当月の光熱費が、標準光熱費に所定係数（例えば１．０５）を乗算した値以上である場合に、光熱費の節約を促す旨のアドバイス文１２４を表示する。
【００９１】
図９のＮｏ．１５に示すように、本実施例の給湯システム２では、当月の光熱費が、標準光熱費に所定係数（例えば０．９５）を乗算した値以下である場合に、光熱費の節約が十分に行われている旨のアドバイス文１２４を表示する。
【００９２】
以上のように、本実施例の給湯システム２は、水を貯えるタンク１０と、自然環境から吸熱して水を加熱するヒートポンプ５０と、タンク１０とヒートポンプ５０の間で水を循環させる循環ポンプ２２（循環手段に相当する）と、燃料ガスの燃焼によって水を加熱する燃焼装置６０と、コントローラ１００と、コントローラ１００と通信可能なユーザ端末１１０を備えている。コントローラ１００は、循環ポンプ２２によってタンク１０とヒートポンプ５０の間で水を循環させながら、ヒートポンプ５０によって水を加熱する沸上運転を実行可能である。コントローラ１００は、給湯システム２の過去の給湯の履歴に基いて、沸上運転のスケジュールを設定するように構成されている。図８のＮｏ．４、Ｎｏ．５、Ｎｏ．６、Ｎｏ．７、図９のＮｏ．１１に示すように、ユーザ端末１１０は、給湯システム２の過去の給湯の履歴のばらつきが大きい場合に、ユーザにアドバイスを提示するように構成されている。
【００９３】
本実施例の給湯システム２において、コントローラ１００は、給湯システム２の過去の給湯開始時刻の履歴に基いて、図２に示す第１のヒートポンプ作動時刻Ｓ０（沸上運転のスケジュールに相当する）を設定するように構成されている。図８のＮｏ．４、Ｎｏ．５に示すように、ユーザ端末１１０は、給湯システム２の過去の給湯開始時刻の履歴のばらつきが大きい場合に、ユーザにアドバイスを提示するように構成されている。
【００９４】
本実施例の給湯システム２において、コントローラ１００は、給湯システム２の過去の湯はり開始時刻の履歴に基いて、図２に示す第２のヒートポンプ作動時刻Ｂ０（沸上運転のスケジュールに相当する）を設定するように構成されている。図９のＮｏ．１１に示すように、ユーザ端末１１０は、給湯システム２の過去の湯はり開始時刻の履歴のばらつきが大きい場合に、ユーザにアドバイスを提示するように構成されている。
【００９５】
本実施例の給湯システム２において、コントローラ１００は、給湯システム２の過去の給湯終了時刻の履歴に基いて、図２に示すヒートポンプ停止時刻Ｇ０（沸上運転のスケジュールに相当する）を設定するように構成されている。図８のＮｏ．４、Ｎｏ．６に示すように、ユーザ端末１１０は、給湯システム２の過去の給湯終了時刻の履歴のばらつきが大きい場合に、ユーザにアドバイスを提示するように構成されている。
【００９６】
本実施例の給湯システム２において、コントローラ１００は、第１給湯量Ｑ１に基いて、図２に示す第１の所定時間αを特定するように構成されている。これによって、沸上運転のスケジュールを設定し、沸上運転の沸上量を設定するように構成されている。すなわち、コントローラ１００は、給湯システム２の過去の給湯使用量の履歴に基いて、沸上運転の沸上量を設定するように構成されている。沸上運転の沸上量は、沸上運転においてヒートポンプ５０によってタンク１０内の水を加熱してタンク１０に貯えた温水の量に相当する。第１給湯量Ｑ１が多いほど第１の所定時間αが長くなり、第１のヒートポンプ作動時刻Ｓ０が早くなるので、沸上運転の沸上量が多くなる。逆に、第１給湯量Ｑ１が少ないほど沸上運転の沸上量が少なくなる。また、図８のＮｏ．７に示すように、ユーザ端末１１０は、給湯システム２の過去の給湯使用量の履歴のばらつきが大きい場合に、ユーザにアドバイスを提示するように構成されている。
【００９７】
図８のＮｏ．４−Ｎｏ．１０、図９のＮｏ．１１−Ｎｏ．１４に示すように、本実施例の給湯システム２において、ユーザ端末１１０は、給湯システム２の過去の給湯の履歴に基いて算出される光熱費が所定値を超える場合に、ユーザにアドバイスを提示するように構成されている。
【００９８】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００９９】
本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１００】
２      ：給湯システム
１０    ：タンク
１２    ：サーミスタ
１４    ：サーミスタ
１６    ：サーミスタ
１８    ：サーミスタ
２０    ：タンク水循環路
２２    ：循環ポンプ
２４    ：サーミスタ
３０    ：水道水導入路
３０ａ  ：第１導入路
３０ｂ  ：第２導入路
３１    ：水道水供給源
３２    ：サーミスタ
４０    ：供給路
４２    ：混合弁
４４    ：サーミスタ
４６    ：湯はり弁
５０    ：ヒートポンプ
５２    ：外気温センサ
６０    ：燃焼装置
１００  ：コントローラ
１１０  ：ユーザ端末
１１２  ：画面
１１４  ：グラフ
１１６  ：グラフ
１１８  ：光熱費
１２０  ：光熱費
１２２  ：光熱費
１２４  ：アドバイス文
【図１】
0006594093.tif 000002
【図２】
0006594093.tif 000003
【図３】
0006594093.tif 000004
【図４】
0006594093.tif 000005
【図５】
0006594093.tif 000006
【図６】
0006594093.tif 000007
【図７】
0006594093.tif 000008
【図８】
0006594093.tif 000009
【図９】
0006594093.tif 000010